【手続補正書】
【提出日】平成20年4月8日(2008.4.8)
【手続補正１】
【補正対象書類名】特許請求の範囲
【補正対象項目名】請求項１
【補正方法】変更
【補正の内容】
【請求項１】
同一のサンプリングレートで動作する第一および第二のディジタル・アナログ変換器をインタリーブし、前記第一および前記第二のディジタル・アナログ変換器の出力信号が合成された信号を出力する信号発生装置を調整する方法であって、
前記第一および前記第二のディジタル・アナログ変換器から同一レベルの直流を出力させるか、前記サンプリングレートの周波数成分を含まない信号を前記合成信号として出力させた時に、前記合成信号のスペクトラムにおいて、前記サンプリングレートと同じ周波数成分のレベルが第一の所定値未満または最小になるように、前記第一および前記第二のディジタル・アナログ変換器それぞれの出力オフセットを調整する第一のステップと、
前記合成信号として第一の所定周波数の信号を出力させた時に、前記合成信号のスペクトラムにおいて、前記サンプリングレートと同じ周波数から前記第一の所定周波数だけ離れた２つの周波数成分のレベルが等しくなるように、または、前記２つのレベルの差が第二の所定値未満もしくは最小になるように、または、前記２つのレベルの和が第三の所定値未満もしくは最小になるように、前記第一および前記第二のディジタル・アナログ変換器それぞれの出力レベルを調整する第二のステップと、
を含み、
前記合成信号として第二の所定周波数の信号を出力させた時の信号純度が所定の条件を満たすまで、前記第二のステップを繰り返し実施することを特徴とする方法。
【手続補正２】
【補正対象書類名】特許請求の範囲
【補正対象項目名】請求項２
【補正方法】変更
【補正の内容】
【請求項２】
前記第一のディジタル・アナログ変換器から第三の所定周波数の信号を出力させ、且つ、前記第二のディジタル・アナログ変換器から直流を出力させた時に、前記合成信号のスペクトラムにおいて、前記第三の所定周波数成分のレベルが最大になるように、前記第一のディジタル・アナログ変換器の出力信号を更新するタイミングを調整する第三のステップと、
前記第一のディジタル・アナログ変換器から直流を出力させ、且つ、前記第二のディジタル・アナログ変換器から第四の所定周波数の信号を出力させた時に、前記合成信号のスペクトラムにおいて、前記第四の所定周波数成分のレベルが最大になるように、前記第二のディジタル・アナログ変換器の出力信号を更新するタイミングを調整する第四のステップと、
をさらに含み、
前記合成信号として前記第二の所定周波数の信号を出力させた時の信号純度が前記所定の条件を満たすまで、前記第二および前記第三および前記第四のステップを繰り返し実施することを特徴とする請求項１に記載の方法。
【手続補正３】
【補正対象書類名】特許請求の範囲
【補正対象項目名】請求項４
【補正方法】変更
【補正の内容】
【請求項４】
前記合成信号として第五の所定周波数の信号を出力させた時に、前記合成信号のスペクトラムにおいて、前記サンプリングレートと同じ周波数から前記第五の所定周波数だけ離れた２つの周波数成分のレベルが第五の所定値未満または最小になるように、前記第一および前記第二のディジタル・アナログ変換器の出力信号を選択するタイミングを調整する第五のステップを、
さらに含み、
前記信号純度が前記所定の条件を満たすまで、前記第一のステップ以外の前記ステップを繰り返し実施することを特徴とする請求項１乃至請求項３のいずれかに記載の方法。
【手続補正４】
【補正対象書類名】特許請求の範囲
【補正対象項目名】請求項６
【補正方法】変更
【補正の内容】
【請求項６】
前記合成信号として第二の所定周波数の信号を出力させた時の信号純度が前記所定の条件を満たすまで、前記第一のステップも繰り返し実施することを特徴とする請求項１乃至請求項５のいずれかに記載の方法。
【手続補正５】
【補正対象書類名】特許請求の範囲
【補正対象項目名】請求項１１
【補正方法】変更
【補正の内容】
【請求項１１】
同一のサンプリングレートで動作する第一および第二のディジタル・アナログ変換器をインタリーブし、前記第一および前記第二のディジタル・アナログ変換器の出力信号が合成された信号を出力する信号発生装置であって、
前記第一および前記第二のディジタル・アナログ変換器から同一レベルの直流を出力させるか、前記サンプリングレートの周波数成分を含まない信号を前記合成信号として出力させた時に、前記合成信号のスペクトラムにおいて、前記サンプリングレートと同じ周波数成分のレベルが第一の所定値未満または最小になるように、前記第一および前記第二のディジタル・アナログ変換器それぞれの出力オフセットを調整する第一のステップと、
前記合成信号として第一の所定周波数の信号を出力させた時に、前記合成信号のスペクトラムにおいて、前記サンプリングレートと同じ周波数から前記第一の所定周波数だけ離れた２つの周波数成分のレベルが等しくなるように、または、前記２つのレベルの差が第二の所定値未満もしくは最小になるように、または、前記２つのレベルの和が第三の所定値未満もしくは最小になるように、前記第一および前記第二のディジタル・アナログ変換器それぞれの出力レベルを調整する第二のステップと、
を実施する制御装置を備え、
前記合成信号として第二の所定周波数の信号を出力させた時の信号純度が所定の条件を満たすまで、前記第二のステップが繰り返し実施されることを特徴とする装置。
【手続補正６】
【補正対象書類名】特許請求の範囲
【補正対象項目名】請求項１２
【補正方法】変更
【補正の内容】
【請求項１２】
前記制御装置が、
前記第一のディジタル・アナログ変換器から第三の所定周波数の信号を出力させ、且つ、前記第二のディジタル・アナログ変換器から直流を出力させた時に、前記合成信号のスペクトラムにおいて、前記第三の所定周波数成分のレベルが最大になるように、前記第一のディジタル・アナログ変換器の出力信号を更新するタイミングを調整する第三のステップと、
前記第一のディジタル・アナログ変換器から直流を出力させ、且つ、前記第二のディジタル・アナログ変換器から第四の所定周波数の信号を出力させた時に、前記合成信号のスペクトラムにおいて、前記第四の所定周波数成分のレベルが最大になるように、前記第二のディジタル・アナログ変換器の出力信号を更新するタイミングを調整する第四のステップと、
をさらに実施し、
前記合成信号として前記第二の所定周波数の信号を出力させた時の信号純度が前記所定の条件を満たすまで、前記第二および前記第三および前記第四のステップが繰り返し実施されることを特徴とする請求項１１に記載の装置。
【手続補正７】
【補正対象書類名】特許請求の範囲
【補正対象項目名】請求項１４
【補正方法】変更
【補正の内容】
【請求項１４】
前記制御装置が、
前記合成信号として第五の所定周波数の信号を出力させた時に、前記合成信号のスペクトラムにおいて、前記サンプリングレートと同じ周波数から前記第五の所定周波数だけ離れた２つの周波数成分のレベルが第五の所定値未満または最小になるように、前記第一および前記第二のディジタル・アナログ変換器の出力信号を選択するタイミングを調整する第五のステップを、
さらに実施し、
前記信号純度が前記所定の条件を満たすまで、前記第一のステップ以外の前記ステップが繰り返し実施されることを特徴とする請求項１１乃至請求項１３のいずれかに記載の装置。
【手続補正８】
【補正対象書類名】特許請求の範囲
【補正対象項目名】請求項１６
【補正方法】変更
【補正の内容】
【請求項１６】
前記合成信号として第二の所定周波数の信号を出力させた時の信号純度が前記所定の条件を満たすまで、前記第一のステップも繰り返し実施されることを特徴とする請求項１１乃至請求項１５のいずれかに記載の装置。
【手続補正９】
【補正対象書類名】明細書
【補正対象項目名】０００５
【補正方法】変更
【補正の内容】
【０００５】
そこで、本発明は、信号発生装置におけるインタリーブ後の信号スペクトラムを観測しながら、信号発生装置に具備される各ＤＡＣの出力オフセットレベル、各ＤＡＣの出力振幅レベル、各ＤＡＣ出力の選択タイミング、および各ＤＡＣの出力更新タイミングを調整する。すなわち、本第一の発明は、同一のサンプリングレートで動作する第一および第二のディジタル・アナログ変換器をインタリーブし、前記第一および前記第二のディジタル・アナログ変換器の出力信号が合成された信号を出力する信号発生装置を調整する方法であって、前記第一および前記第二のディジタル・アナログ変換器から同一レベルの直流を出力させるか、前記サンプリングレートの周波数成分を含まない信号を前記合成信号として出力させた時に、前記合成信号のスペクトラムにおいて、前記サンプリングレートと同じ周波数成分のレベルが第一の所定値未満または最小になるように、前記第一および前記第二のディジタル・アナログ変換器それぞれの出力オフセットを調整する第一のステップと、前記合成信号として第一の所定周波数の信号を出力させた時に、前記合成信号のスペクトラムにおいて、前記サンプリングレートと同じ周波数から前記第一の所定周波数だけ離れた２つの周波数成分のレベルが等しくなるように、または、前記２つのレベルの差が第二の所定値未満もしくは最小になるように、または、前記２つのレベルの和が第三の所定値未満もしくは最小になるように、前記第一および前記第二のディジタル・アナログ変換器それぞれの出力レベルを調整する第二のステップとを含み、前記合成信号として第二の所定周波数の信号を出力させた時の信号純度が所定の条件を満たすまで、前記第二のステップを繰り返し実施することを特徴とするものである。
【手続補正１０】
【補正対象書類名】明細書
【補正対象項目名】０００６
【補正方法】変更
【補正の内容】
【０００６】
本第二の発明は、本第一の発明において、前記第一のディジタル・アナログ変換器から第三の所定周波数の信号を出力させ、且つ、前記第二のディジタル・アナログ変換器から直流を出力させた時に、前記合成信号のスペクトラムにおいて、前記第三の所定周波数成分のレベルが最大になるように、前記第一のディジタル・アナログ変換器の出力信号を更新するタイミングを調整する第三のステップと、前記第一のディジタル・アナログ変換器から直流を出力させ、且つ、前記第二のディジタル・アナログ変換器から第四の所定周波数の信号を出力させた時に、前記合成信号のスペクトラムにおいて、前記第四の所定周波数成分のレベルが最大になるように、前記第二のディジタル・アナログ変換器の出力信号を更新するタイミングを調整する第四のステップとをさらに含み、前記合成信号として前記第二の所定周波数の信号を出力させた時の信号純度が前記所定の条件を満たすまで、前記第二および前記第三および前記第四のステップを繰り返し実施することを特徴とするものである。
【手続補正１１】
【補正対象書類名】明細書
【補正対象項目名】０００８
【補正方法】変更
【補正の内容】
【０００８】
本第四の発明は、本第一乃至本第三のいずれかの発明において、前記合成信号として第五の所定周波数の信号を出力させた時に、前記合成信号のスペクトラムにおいて、前記サンプリングレートと同じ周波数から前記第五の所定周波数だけ離れた２つの周波数成分のレベルが第五の所定値未満または最小になるように、前記第一および前記第二のディジタル・アナログ変換器の出力信号を選択するタイミングを調整する第五のステップを、さらに含み、前記信号純度が前記所定の条件を満たすまで、前記第一のステップ以外の前記ステップを繰り返し実施することを特徴とするものである。
【手続補正１２】
【補正対象書類名】明細書
【補正対象項目名】００１０
【補正方法】変更
【補正の内容】
【００１０】
本第六の発明は、本第一乃至本第五のいずれかの発明において、前記合成信号として第二の所定周波数の信号を出力させた時の信号純度が前記所定の条件を満たすまで、前記第一のステップも繰り返し実施することを特徴とするものである。
【手続補正１３】
【補正対象書類名】明細書
【補正対象項目名】００１５
【補正方法】変更
【補正の内容】
【００１５】
本第十一の発明は、同一のサンプリングレートで動作する第一および第二のディジタル・アナログ変換器をインタリーブし、前記第一および前記第二のディジタル・アナログ変換器の出力信号が合成された信号を出力する信号発生装置であって、前記第一および前記第二のディジタル・アナログ変換器から同一レベルの直流を出力させるか、前記サンプリングレートの周波数成分を含まない信号を前記合成信号として出力させた時に、前記合成信号のスペクトラムにおいて、前記サンプリングレートと同じ周波数成分のレベルが第一の所定値未満または最小になるように、前記第一および前記第二のディジタル・アナログ変換器それぞれの出力オフセットを調整する第一のステップと、前記合成信号として第一の所定周波数の信号を出力させた時に、前記合成信号のスペクトラムにおいて、前記サンプリングレートと同じ周波数から前記第一の所定周波数だけ離れた２つの周波数成分のレベルが等しくなるように、または、前記２つのレベルの差が第二の所定値未満もしくは最小になるように、または、前記２つのレベルの和が第三の所定値未満もしくは最小になるように、前記第一および前記第二のディジタル・アナログ変換器それぞれの出力レベルを調整する第二のステップとを実施する制御装置を備え、前記合成信号として第二の所定周波数の信号を出力させた時の信号純度が所定の条件を満たすまで、前記第二のステップが繰り返し実施されることを特徴とするものである。
【手続補正１４】
【補正対象書類名】明細書
【補正対象項目名】００１６
【補正方法】変更
【補正の内容】
【００１６】
本第十二の発明は、本第十一の発明において、前記制御装置が、前記第一のディジタル・アナログ変換器から第三の所定周波数の信号を出力させ、且つ、前記第二のディジタル・アナログ変換器から直流を出力させた時に、前記合成信号のスペクトラムにおいて、前記第三の所定周波数成分のレベルが最大になるように、前記第一のディジタル・アナログ変換器の出力信号を更新するタイミングを調整する第三のステップと、前記第一のディジタル・アナログ変換器から直流を出力させ、且つ、前記第二のディジタル・アナログ変換器から第四の所定周波数の信号を出力させた時に、前記合成信号のスペクトラムにおいて、前記第四の所定周波数成分のレベルが最大になるように、前記第二のディジタル・アナログ変換器の出力信号を更新するタイミングを調整する第四のステップとをさらに実施し、前記合成信号として前記第二の所定周波数の信号を出力させた時の信号純度が前記所定の条件を満たすまで、前記第二および前記第三および前記第四のステップが繰り返し実施されることを特徴とするものである。
【手続補正１５】
【補正対象書類名】明細書
【補正対象項目名】００１８
【補正方法】変更
【補正の内容】
【００１８】
本第十四の発明は、本第十一乃至本第十三のいずれかの発明において、前記制御装置が、前記合成信号として第五の所定周波数の信号を出力させた時に、前記合成信号のスペクトラムにおいて、前記サンプリングレートと同じ周波数から前記第五の所定周波数だけ離れた２つの周波数成分のレベルが第五の所定値未満または最小になるように、前記第一および前記第二のディジタル・アナログ変換器の出力信号を選択するタイミングを調整する第五のステップをさらに実施し、前記信号純度が前記所定の条件を満たすまで、前記第一のステップ以外の前記ステップが繰り返し実施されることを特徴とするものである。
【手続補正１６】
【補正対象書類名】明細書
【補正対象項目名】００２０
【補正方法】変更
【補正の内容】
【００２０】
本第十六の発明は、本第十一乃至本第十五のいずれかの発明において、前記合成信号として第二の所定周波数の信号を出力させた時の信号純度が前記所定の条件を満たすまで、前記第一のステップも繰り返し実施されることを特徴とするものである。
【手続補正１７】
【補正対象書類名】明細書
【補正対象項目名】００２７
【補正方法】変更
【補正の内容】
【００２７】
クロック信号源１５０は、５ＧＨｚの周波数を有するクロック信号Ｃ１を生成する装置である。クロック信号Ｃ１は、移相器１３０を介してＤＡＣ１１０に、移相器１４０を介してＤＡＣ１２０に、ディーティー比変更器１７０を介してセレクタ１６０に、それぞれ印加される。移相器１３０および移相器１４０は、入力信号を所望の角度だけ位相をずらし、移相結果を出力する装置である。移相器１３０および移相器１４０は、外部制御により移相量が変化する。デューティー比変更器１７０は、入力される信号のデューティー比を調整して、調整結果Ｃ２を出力する装置である。ＤＡＣ１１０の出力信号ＳａおよびＤＡＣ１２０の出力信号Ｓｂは、セレクタ１６０に印加される。ＤＡＣ１１０およびＤＡＣ１２０は、外部制御により、出力信号Ｓａおよび出力信号Ｓｂのレベルおよびオフセットが調整される。ここで、レベルの調整は、ＤＡＣに与えられるディジタルデータあるいはディジタルデータ列を固定したまま、出力信号の振幅レベルを調整することをいう。セレクタ１６０は、デューティー比変更器１７０の出力信号レベルに応じて、出力信号Ｓａおよび出力信号Ｓｂのいずれか一方を選択し、選択した信号を出力する装置である。本実施形態において、セレクタ１６０は、クロック信号Ｃ２の論理レベルがＬの時に出力信号Ｓａを出力し、クロック信号Ｃ２の論理レベルがＨの時に出力信号Ｓｂを出力するものとする。これにより、出力信号Ｓａと出力信号Ｓｂとが交互に出現する合成信号ＳＸが生成される。補正器１８０は、セレクタの出力信号ＳＸを観測し、観測結果に基づき外部装置を制御する装置である。補正器１８０は、セレクタの出力信号ＳＸのスペクトラムを解析する測定部１８１と、測定部１８１の解析結果に基づき外部装置を制御する制御部１８２を備える。測定部１８１のスペクトラム解析方式は、ＦＦＴアナライザなどに採用されるようなフーリエ変換方式でも良いし、スペクトラムアナライザに採用されるような掃引方式でも良い。制御部１８２は、ＤＡＣ１１０、ＤＡＣ１２０、移相器１３０、移相器１４０およびデューティー比変更器１７０を制御する。
【手続補正１８】
【補正対象書類名】明細書
【補正対象項目名】００３１
【補正方法】変更
【補正の内容】
【００３１】
次に、ステップＳ１２において、制御部１８２は、測定部１８１で解析された合成信号ＳＸのスペクトラムにおいて、５ＧＨｚ（サンプリングレート）から１ＧＨｚ（合成信号ＳＸの周波数）だけ離れた２つの周波数成分（４ＧＨｚ、６ＧＨｚ）が所定値ＴＨ４未満または最小になるように、出力信号Ｓａおよび出力信号Ｓｂを選択するタイミングを調整する。この時、信号発生装置１００は、ステップＳ１１に継続して１ＧＨｚの正弦波を出力している。そして、具体的には、クロック信号Ｃ１のデューティー比を調整する。セレクタ１６０において、出力信号Ｓａおよび出力信号Ｓｂは、等時間間隔で切り換えられなければならない。例えば、セレクタ１６０が理想的に動作するならば、セレクタ１６０に印加されるクロック信号のデューティー比は、５０％でなければならない。しかし、セレクタ１６０に到達するまでにクロック信号のデューティー比が変わってしまう場合がある。そこで、本ステップでは、セレクタ１６０に到達するときにクロック信号のデューティー比が５０％になるよう、クロック信号Ｃ１のデューティー比をデューティー比変更器１７０で調整するのである。ここで、図５を参照する。図５は、合成信号ＳＸとして１ＧＨｚを出力した時に、ＤＡＣ１１０の出力信号およびＤＡＣ１２０の出力信号を切り換える間隔が均等でない場合の合成信号ＳＸのスペクトラムである。図５を見ると、４ＧＨｚと６ＧＨｚに不要な成分が存在していることが分かる。本ステップでは、これらの周波数成分のレベルを所定値ＴＨ４未満にする。
【手続補正１９】
【補正対象書類名】明細書
【補正対象項目名】００３８
【補正方法】変更
【補正の内容】
【００３８】
クロック信号源２５０は、１０ＧＨｚの周波数を有するクロック信号Ｃ３を生成する装置である。クロック信号Ｃ３は、セレクタ２６０に内蔵された分周器２６１により２分周された後、移相器１３０を介してＤＡＣ１１０に、移相器１４０を介してＤＡＣ１２０に、それぞれ印加される。分周器２６１は、例えば、Ｔフリップフロップなどにより構成される。セレクタ２６０は、分周器２６１が出力するクロック信号Ｃ４のレベルに応じて、出力信号Ｓａおよび出力信号Ｓｂのいずれか一方を選択し、選択した信号を出力する装置である。本実施形態において、セレクタ２６０は、クロック信号Ｃ４の論理レベルがＬの時に出力信号Ｓａを出力し、クロック信号Ｃ４の論理レベルがＨの時に出力信号Ｓｂを出力するものとする。これにより、出力信号Ｓａと出力信号Ｓｂとが交互に出現する合成信号ＳＸが生成される。補正器２８０は、セレクタの出力信号ＳＸを観測し、観測結果に基づき外部装置を制御する装置である。補正器２８０は、セレクタの出力信号ＳＸのスペクトラムを解析する測定部１８１と、測定部１８１の解析結果に基づき外部装置を制御する制御部２８２を備える。制御部１８２は、ＤＡＣ１１０、ＤＡＣ１２０、移相器１３０および移相器１４０を制御する。
【手続補正２０】
【補正対象書類名】明細書
【補正対象項目名】００４１
【補正方法】変更
【補正の内容】
【００４１】
次に、ステップＳ２１において、ステップＳ１１と同様に、振幅レベルを調整する。ステップＳ２１における処理の説明は、ステップＳ１１における処理の説明について、制御部１８２を制御部２８２に読み替えれば良い。本第二の実施形態において、クロック信号Ｃ３が分周器２６１で２分周されるので、ステップＳ１２に相当する処理は不要である。
【手続補正２１】
【補正対象書類名】明細書
【補正対象項目名】００４６
【補正方法】変更
【補正の内容】
【００４６】
クロック信号源３５０は、１０ＧＨｚの周波数を有するクロック信号Ｃ５および５ＧＨｚの周波数を有するクロック信号Ｃ６を生成する装置である。スイッチＳＷ１がｘ側を選択しスイッチＳＷ２がＯＮしている時、クロック信号Ｃ５が、セレクタ３６０に内蔵された分周器３６１により２分周された後、移相器１３０を介してＤＡＣ１１０に、移相器１４０を介してＤＡＣ１２０に、それぞれ印加される。一方、スイッチＳＷ１がｙ側を選択しスイッチＳＷ２がＯＦＦしている時、クロック信号Ｃ６が、移相器１３０を介してＤＡＣ１１０に、それぞれ直接印加される。分周器３６１は、例えば、Ｔフリップフロップなどにより構成される。セレクタ３６０は、分周器３６１が出力するクロック信号Ｃ４のレベルに応じて、出力信号Ｓａおよび出力信号Ｓｂのいずれか一方を選択し、選択した信号を出力する装置である。本実施形態において、セレクタ３６０は、クロック信号Ｃ４の論理レベルがＬの時に出力信号Ｓａを出力し、クロック信号Ｃ２の論理レベルがＨの時に出力信号Ｓｂを出力するものとする。これにより、出力信号Ｓａと出力信号Ｓｂとが交互に出現する合成信号ＳＸが生成される。また、セレクタ３６０は、ＳＷ２がＯＦＦしクロック信号Ｃ５が供給されない時は、スルー出力、すなわち、入力される信号ＳａおよびＳｂをそのまま出力する。補正器３８０は、セレクタの出力信号ＳＸを観測し、観測結果に基づき外部装置を制御する装置である。補正器３８０は、セレクタの出力信号ＳＸのスペクトラムを解析する測定部１８１と、測定部１８１の解析結果に基づき外部装置を制御する制御部３８２を備える。制御部３８２は、ＤＡＣ１１０、ＤＡＣ１２０、移相器１３０、移相器１４０、スイッチＳＷ１およびスイッチＳＷ２を制御する。